(57)【要約】      （修正有）【課題】滅菌器本体内に設けた上面開口のチャンバーと、滅菌器本体の上部に開閉自在に支持された蓋ハウジングにチャンバーの上面開口を密閉する蓋を備え、チャンバー内に収納された被滅菌物を高圧蒸気下で滅菌する高圧蒸気滅菌器において、蓋が確実に閉じた状態での運転開始ができるように、安全面に配慮した高圧蒸気滅菌器を提供するものである。【解決手段】滅菌器本体２の上部にチャンバーの上面開口を塞ぐ蓋５をロックするロック手段を備え、このロック手段は、蓋の周縁部に係止するロック状態と非ロック状態とに回動するよう滅菌器本体に支持されたロックアーム１０Ａと、このロックアームのロック状態を検出する蓋ロック検出スイッチ６Ａを備え、高圧蒸気滅菌器の運転開始時にこの蓋ロック検出スイッチがロックアームのロック状態を検出していない場合には運転を開始しないように構成したこと。【選択図】図７
2008104844.tif 000002
【特許請求の範囲】
【請求項１】
滅菌器本体内に設けた上面開口のチャンバーと、前記チャンバーの上面開口を密閉するよう前記滅菌器本体の上部に開閉自在に支持された蓋を備え、前記チャンバー内に収納された被滅菌物を高圧蒸気下で滅菌する高圧蒸気滅菌器において、前記滅菌器本体の上部に前記蓋を密閉状態にロックするロック手段を備え、このロック手段は、前記蓋の周縁部に係止するロック状態と非ロック状態とに回動するよう前記滅菌器本体に支持されたロックアームと、このロックアームのロック状態を検出する蓋ロック検出スイッチを備え、前記高圧蒸気滅菌器の運転開始時にこの蓋ロック検出スイッチが前記ロックアームのロック状態を検出していない場合には運転を開始しないように構成したことを特徴とする高圧蒸気滅菌器。
【請求項２】
滅菌器本体内に設けた上面開口のチャンバーと、前記滅菌器本体の上部に開閉自在に支持された蓋ハウジングに前記チャンバーの上面開口を密閉する蓋を備え、前記チャンバー内に収納された被滅菌物を高圧蒸気下で滅菌する高圧蒸気滅菌器において、前記滅菌器本体の上部に前記蓋を密閉状態にロックするロック手段を備え、このロック手段は、前記蓋の周縁部に係止するロック状態と非ロック状態とに回動するよう支持されたロックアームと、前記ロックアームをロック状態の方向へ付勢するバネと、前記ロックアームのロック状態を検出する蓋ロック検出スイッチを備え、前記蓋ハウジングは、前面側に手で握ることによって前方に移動して前記ロックアームをロック状態から非ロック状態に回動させる操作取っ手を備え、前記高圧蒸気滅菌器の運転開始時に前記蓋ロック検出スイッチが前記ロックアームのロック状態を検出していない場合には運転を開始しないように構成したことを特徴とする高圧蒸気滅菌器。
【請求項３】
滅菌器本体内に設けた上面開口のチャンバーと、前記滅菌器本体の上部後側に開閉自在にヒンジ部で支持された蓋ハウジングに前記チャンバーの上面開口を密閉する蓋を備え、前記チャンバー内に収納された被滅菌物を高圧蒸気下で滅菌する高圧蒸気滅菌器において、前記滅菌器本体の上部前側で前記蓋を密閉状態にロックするロック手段と、前記蓋ハウジングの前部で前記ロック手段のロックを解除操作する操作取っ手を備え、前記ロック手段は、前記滅菌器本体に少なくとも左右に離間して配置されて、前記蓋の周縁部に係止するロック状態と非ロック状態とに回動するよう支持されたロックアームと、前記ロックアームをロック状態の方向へ付勢するバネと、前記ロックアームのロック状態を検出する蓋ロック検出スイッチを備え、前記高圧蒸気滅菌器の運転開始時に、前記蓋ロック検出スイッチが前記ロックアームのロック状態を検出していないときは、運転を開始しないように構成したことを特徴とする高圧蒸気滅菌器。
【請求項４】
前記ロックアームは、その中間部が支持部に回動可能に支持され、前記滅菌器本体の上壁の孔を貫通して上方へ突出した上部に前記蓋の周縁部に設けた係止部に係止する爪部を形成し、下部には前記蓋ロック検出スイッチをＯＮ−ＯＦＦ作動する作動部を形成し、前記爪部が前記係止部に係止するロック状態へ付勢するコイルバネを備え、前記滅菌器本体の上壁の孔を貫通して上方へ突出した上部が前記操作取っ手によって前記ロック解除操作されることを特徴とする請求項１乃至３のいずれかに記載の高圧蒸気滅菌器。
【請求項５】
前記蓋は前記滅菌器本体の上部に開閉自在に支持された蓋ハウジングに取り付けられ、前記滅菌器本体には高圧蒸気滅菌器全体の統括制御を行う主制御部を設け、前記蓋ロック検出スイッチが前記主制御部に接続され、前記蓋ハウジングには、動作条件や動作モードを設定する設定部と表示部を備えた操作部と、この操作部と接続され前記主制御部とデータ（情報又は信号）の授受を行なうと共に前記主制御部の制御の下に動作する副制御部を備え、前記主制御部と前記副制御部によって高圧蒸気滅菌器の運転制御を行うことを特徴とする請求項１乃至４のいずれかに記載の高圧蒸気滅菌器。
【請求項６】
前記主制御部と前記副制御部は、マイクロコンピュータ構成による制御手段であり、２本の電源ラインと、２本のデータ送受信ラインと、１本のクロックパルスラインと、１本のリセットラインで接続されたことを特徴とする請求項５に記載の高圧蒸気滅菌器。
【請求項７】
前記滅菌器本体に対して前記蓋ハウジングが閉じた状態になったことを検出する閉蓋検出スイッチを設けると共に、この閉蓋検出スイッチが開閉時に前記蓋ロック検出スイッチの開閉状態を検出し、開閉が検出されない場合には運転を開始しないように構成したことを特徴とする、請求項１乃至６のいずれかに記載の高圧蒸気滅菌器。
【請求項８】
前記閉蓋検出スイッチがＯＮからＯＦＦ又はＯＦＦからＯＮに切り替わった直後に前記蓋ロック検出スイッチがＯＮ又はＯＦＦしているか否かを検出することで、前記蓋ロック検出スイッチの固着を検出することを特徴とする、請求項１乃至７のいずれかに記載の高圧蒸気滅菌器。
【発明の詳細な説明】
【技術分野】
【０００１】
本発明は、主として病院等に設置して医療用器具等の被滅菌物を高圧蒸気下で滅菌する高圧蒸気滅菌器に関する。
【背景技術】
【０００２】
滅菌器本体内に設けた上面開口のチャンバーと、前記滅菌器本体の上部に開閉自在に支持された蓋ハウジングに前記チャンバーの上面開口を密閉する蓋を備え、前記チャンバー内に収納された被滅菌物を高圧蒸気下で滅菌する高圧蒸気滅菌器において、前記滅菌器本体の前面底部に足踏み式ペダルを設け、このペダルの走査によって蓋を開くようにしたものがある。（特許文献１参照）。
【特許文献１】特開２００５−６９２７号公報
【発明の開示】
【発明が解決しようとする課題】
【０００３】
この特許文献１の構成では、ペダルを足で踏むことによって蓋を開くことができるため、手が塞がれている状態での操作性が向上するが、蓋をロックする爪とペダルとを連動させる機構が複雑となり、部品点数の増加や組み立て工数の増加に伴うコストアップを招く問題がある。
本発明は、この点に鑑み、特許文献１の構成とは異なり、手で蓋を開閉する比較的簡単な構成であって、且つ比較的簡単な操作によって蓋の開閉ができるようにし、蓋が確実に閉じた状態での運転開始となるように、安全面に配慮した高圧蒸気滅菌器を提供するものである。
【課題を解決するための手段】
【０００４】
第１発明の高圧蒸気滅菌器は、滅菌器本体内に設けた上面開口のチャンバーと、前記チャンバーの上面開口を密閉するよう前記滅菌器本体の上部に開閉自在に支持された蓋を備え、前記チャンバー内に収納された被滅菌物を高圧蒸気下で滅菌する高圧蒸気滅菌器において、前記滅菌器本体の上部に前記蓋を密閉状態にロックするロック手段を備え、このロック手段は、前記蓋の周縁部に係止するロック状態と非ロック状態とに回動するよう前記滅菌器本体に支持されたロックアームと、このロックアームのロック状態を検出する蓋ロック検出スイッチを備え、前記高圧蒸気滅菌器の運転開始時にこの蓋ロック検出スイッチが前記ロックアームのロック状態を検出していない場合には運転を開始しないように構成したことを特徴とする。
【０００５】
第２発明の高圧蒸気滅菌器は、滅菌器本体内に設けた上面開口のチャンバーと、前記滅菌器本体の上部に開閉自在に支持された蓋ハウジングに前記チャンバーの上面開口を密閉する蓋を備え、前記チャンバー内に収納された被滅菌物を高圧蒸気下で滅菌する高圧蒸気滅菌器において、前記滅菌器本体の上部に前記蓋を密閉状態にロックするロック手段を備え、このロック手段は、前記蓋の周縁部に係止するロック状態と非ロック状態とに回動するよう支持されたロックアームと、前記ロックアームをロック状態の方向へ付勢するバネと、前記ロックアームのロック状態を検出する蓋ロック検出スイッチを備え、前記蓋ハウジングは、前面側に手で握ることによって前方に移動して前記ロックアームをロック状態から非ロック状態に回動させる操作取っ手を備え、前記高圧蒸気滅菌器の運転開始時に前記蓋ロック検出スイッチが前記ロックアームのロック状態を検出していない場合には運転を開始しないように構成したことを特徴とする。
【０００６】
第３発明の高圧蒸気滅菌器は、滅菌器本体内に設けた上面開口のチャンバーと、前記滅菌器本体の上部後側に開閉自在にヒンジ部で支持された蓋ハウジングに前記チャンバーの上面開口を密閉する蓋を備え、前記チャンバー内に収納された被滅菌物を高圧蒸気下で滅菌する高圧蒸気滅菌器において、前記滅菌器本体の上部前側で前記蓋を密閉状態にロックするロック手段と、前記蓋ハウジングの前部で前記ロック手段のロックを解除操作する操作取っ手を備え、前記ロック手段は、前記滅菌器本体に少なくとも左右に離間して配置されて、前記蓋の周縁部に係止するロック状態と非ロック状態とに回動するよう支持されたロックアームと、前記ロックアームをロック状態の方向へ付勢するバネと、前記ロックアームのロック状態を検出する蓋ロック検出スイッチを備え、前記高圧蒸気滅菌器の運転開始時に、前記蓋ロック検出スイッチが前記ロックアームのロック状態を検出していないときは、運転を開始しないように構成したことを特徴とする。
【０００７】
第４発明の高圧蒸気滅菌器は、第１発明乃至第３発明のいずれかにおいて、前記ロックアームは、その中間部が支持部に回動可能に支持され、前記滅菌器本体の上壁の孔を貫通して上方へ突出した上部に前記蓋の周縁部に設けた係止部に係止する爪部を形成し、下部には前記蓋ロック検出スイッチをＯＮ−ＯＦＦ作動する作動部を形成し、前記爪部が前記係止部に係止するロック状態へ付勢するコイルバネを備え、前記滅菌器本体の上壁の孔を貫通して上方へ突出した上部が前記操作取っ手によって前記ロック解除操作されることを特徴とする。
【０００８】
第５発明の高圧蒸気滅菌器は、第１発明乃至第４発明のいずれかにおいて、前記蓋は前記滅菌器本体の上部に開閉自在に支持された蓋ハウジングに取り付けられ、前記滅菌器本体には高圧蒸気滅菌器全体の統括制御を行う主制御部を設け、前記蓋ロック検出スイッチが前記主制御部に接続され、前記蓋ハウジングには、動作条件や動作モードを設定する設定部と表示部を備えた操作部と、この操作部と接続され前記主制御部とデータ（情報又は信号）の授受を行なうと共に前記主制御部の制御の下に動作する副制御部を備え、前記主制御部と前記副制御部によって高圧蒸気滅菌器の運転制御を行うことを特徴とする。
【０００９】
第６発明の高圧蒸気滅菌器は、第５発明において、前記主制御部と前記副制御部は、マイクロコンピュータ構成による制御手段であり、２本の電源ラインと、２本のデータ送受信ラインと、１本のクロックパルスラインと、１本のリセットラインで接続されたことを特徴とする。
【００１０】
第７の発明の高圧蒸気滅菌器は、第１発明乃至第６発明のいずれかにおいて、滅菌器本体に対して蓋ハウジングが閉じた状態になったことを検出する閉蓋検出スイッチを設けると共に、この閉蓋検出スイッチが開閉時に蓋ロック検出スイッチの開閉状態を検出し、開閉が検出されない場合には運転を開始しないように構成したことを特徴とする。
【００１１】
第８の発明の高圧蒸気滅菌器は、第１発明乃至第７発明のいずれかにおいて、閉蓋検出スイッチがＯＮからＯＦＦ又はＯＦＦからＯＮに切り替わった直後に蓋ロック検出スイッチがＯＮ又はＯＦＦしているか否かを検出することで、蓋ロック検出スイッチの固着を検出することを特徴とする。
【発明の効果】
【００１２】
第１発明において、蓋のロックは、滅菌器本体にロック状態と非ロック状態とに回動するよう設けたロックアームが、蓋の周縁部に係止することによって行なう簡素化された構成であり、構成が簡単であって、コストも低減できる。また、高圧蒸気滅菌器の運転開始時に、蓋ロック検出スイッチがロックアームのロック状態を検出していない場合には運転を開始しないため、高圧蒸気下で滅菌作動する機器の使用者に対する安全確保ができることとなる。
第２発明は、第１発明の効果に加えて、ロックアームはバネによってロック状態の方向へ付勢されているため、操作取っ手を手で握ることによって、ロックアームのロック状態の解除ができるため、構成と操作性が簡単であり、第１発明の効果と共に優れた効果を奏することができる。
【００１３】
第３発明は、第２発明の効果に加えて、ロック手段は、滅菌器本体に少なくとも左右に離間して配置されているため、蓋のロック状態が確実となり、安全な高圧蒸気滅菌器を構成できる。
【００１４】
第４発明は、第１発明乃至第３発明の効果に加えて、ロックアームの爪部によって蓋をロックする部分が、滅菌器本体の上壁を貫通した上部であるため、蓋の係止部に係止するロック構成が簡単であり、また、蓋ロック検出スイッチをＯＮ−ＯＦＦ作動する作動部が滅菌器本体の上壁下方にあるため、水等の液体が掛かることや不正操作されることから防止できるものとなる。
【００１５】
第５発明は、第１発明乃至第４発明の効果に加えて、滅菌器本体に設けた主制御部の統括制御の下で、蓋ハウジングに設けた操作部の検知を副制御部で行う分担制御方式が採用できるため、蓋ハウジングに動作モード設定スイッチと動作モード表示部を備えた操作部を配置して、操作性の向上等を図る構成を採用することに適したものとなる。
【００１６】
第６発明は、第５発明において、滅菌器本体側の主制御部と蓋ハウジング側の副制御部は、マイクロコンピュータ構成による制御手段でもって、分担制御方式が採用できるため、ライン数が限られた本数で達成できるものとなり、配線が簡素化され、組み立てし易い構成となる。
【００１７】
第７発明は、第１発明乃至第６発明の効果に加えて、蓋の開閉操作時に蓋ロック検出スイッチの開閉状態を検出することで、蓋ロック検出スイッチの固着を検出し、固着が検出された場合には運転を開始しないことで、より安全性を向上出来るものである。
【００１８】
第８発明は、第１発明乃至第７発明の効果に加えて、蓋の開閉操作を閉蓋検出スイッチにて検出すると共に、この閉蓋検出スイッチが開閉操作された直後に蓋ロック検出スイッチの動作を検出することで、蓋を開けて運転を開始する前に、確実に蓋ロック検出スイッチの故障を検出し、より安全性を向上出来るものである。
【発明を実施するための最良の形態】
【００１９】
本発明の高圧蒸気滅菌器は、滅菌器本体内に設けた上面開口のチャンバーと、前記チャンバーの上面開口を密閉するよう前記滅菌器本体の上部に開閉自在に支持された蓋を備え、前記チャンバー内に収納された被滅菌物を高圧蒸気下で滅菌する高圧蒸気滅菌器において、前記滅菌器本体の上部に前記蓋を密閉状態にロックするロック手段を備え、このロック手段は、前記蓋の周縁部に係止するロック状態と非ロック状態とに回動するよう前記滅菌器本体に支持されたロックアームと、このロックアームのロック状態を検出する蓋ロック検出スイッチを備え、前記高圧蒸気滅菌器の運転開始時にこの蓋ロック検出スイッチが前記ロックアームのロック状態を検出していない場合には運転を開始しないように構成したものであり、本発明の実施例を以下に記載する。
【実施例１】
【００２０】
本発明の実施形態について説明する。図１は本発明に係る高圧蒸気滅菌器の正面斜視図、図２は本発明に係る高圧蒸気滅菌器の蓋を開けた状態の正面斜視図、図３は本発明に係る高圧蒸気滅菌器の滅菌器本体のカバーを外し蓋を開けた状態の正面斜視図、図４は本発明に係る高圧蒸気滅菌器の配管系統図、図５は本発明に係る高圧蒸気滅菌器の工程動作図、図６は本発明に係る高圧蒸気滅菌器の蓋のロック手段を断面で示す側面図、図７は本発明に係る高圧蒸気滅菌器の蓋のロック手段と操作取っ手のロック装置の部分を示す正面斜視図、図８は本発明に係る高圧蒸気滅菌器の操作取っ手のロック装置の部分を示す正面斜視図、図９は本発明に係る高圧蒸気滅菌器の操作取っ手部分と蓋のロック手段部分を示す平面図、図１０は本発明に係る高圧蒸気滅菌器の操作取っ手部分と蓋のロック手段と操作取っ手のロック装置部分を示す正面斜視図、図１１は本発明に係る高圧蒸気滅菌器の操作部示す平面図、図１２は本発明に係る高圧蒸気滅菌器の制御部を示すブロック図である。図１３は本発明に係る高圧蒸気滅菌器の閉蓋検出スイッチ部分と操作取っ手のロック装置の部分を示す正面斜視図である。図１４は本発明に係る高圧蒸気滅菌器の操作取っ手部分の蓋のロック手段と閉蓋検出スイッチ部分を示す平面図である。図１５は本発明に係る高圧蒸気滅菌器の操作取っ手部分と蓋のロック手段と操作取っ手のロック装置と閉蓋検出スイッチ部分を示す正面斜視図である。
【００２１】
図において、１は本発明の高圧蒸気滅菌器である。高圧蒸気滅菌器１は、滅菌器本体２と、滅菌器本体２の上部に後部が開閉自在にヒンジ部１８で支持された蓋ハウジング３を備え、滅菌器本体２内には上面開口４Ａを有する有底円筒形状のチャンバー４を配置し、蓋ハウジング３にはチャンバー４の上面開口４Ａを密閉するための蓋５を備えている。チャンバー４内に被滅菌物を収納し、蓋ハウジング３を閉じて蓋５がチャンバー４の上面開口４Ａを密閉した状態において、高圧蒸気滅菌器１を運転して、チャンバー４内を高温高圧状態とし、被滅菌物の滅菌が行なわれる。蓋５によってチャンバー４の上面開口４Ａを良好な密閉状態とするために、蓋５の下端開口周縁には環状体５Ａが取り付けられ、環状体５Ａがチャンバー４の上面開口４Ａの上端部分に覆い被さる状態となる。
【００２２】
チャンバー４内が高温高圧状態となるため、蓋５による密閉状態の確保が重要である。このため、チャンバー４の上面開口４Ａを密閉するロック状態に蓋５を保持するロック手段ＬＫを滅菌器本体２の前部に設け、このロック状態を検出する蓋ロック検出スイッチ６を備える。
【００２３】
前記ロック手段ＬＫは、図６及び図７に示すように、蓋５に対してロック状態と非ロック状態に回動するロックアーム１０を備えている。蓋５がチャンバー４の上面開口４Ａを確実に密閉するロック状態となるように、ロック手段ＬＫは、滅菌器本体２の上部に少なくとも左右に離間して配置されている。このため、ロック手段ＬＫは、複数のロックアーム１０が左右に間隔を存して設けられ、実施例では、ヒンジ部１８とは反対側の位置となる前側部分において、滅菌器本体２の上部の左右の箇所にロックアーム１０Ａ、１０Ｂを備えている。各ロックアーム１０Ａ、１０Ｂは、その中間部が、チャンバー４の側面から並行に延びる支持部９に軸部８で回動可能に支持され、上壁２Ａの孔２Ａ１を貫通して上方へ突出した各ロックアーム１０Ａ、１０Ｂの上部には、蓋５の周縁部に設けた係止部１１、１１にそれぞれ係止する爪部１０Ａ１、１０Ｂ１を形成し、各ロックアーム１０Ａ、１０Ｂの下部には、それぞれの蓋ロック検出スイッチ６Ａ、６ＢをＯＮ−ＯＦＦ作動する作動部１０Ａ２、１０Ｂ２を形成している。そして、各ロックアーム１０Ａ、１０Ｂは、それぞれ一端が支持部９に係止し他端がロックアーム１０Ａ、１０Ｂに係止して軸部８に巻回されたコイルバネ１９、１９によって、爪部１０Ａ１、１０Ｂ１がそれぞれ係止部１１、１１に係止するロック状態の方向へ付勢されている。孔２Ａ１は、半径方向に蛇腹形状の弾性材５４によって塞がれている。なお、支持部９は滅菌器本体２の上壁２Ａから垂下した状態に設けることもできる。
【００２４】
蓋ハウジング３は、前面側に手で握ることによって前方に移動してロックアーム１０Ａ、１０Ｂをロック状態から非ロック状態に回動させるための操作取っ手１２を備えている。操作取っ手１２は、ヒンジ部１８とは反対側である蓋ハウジング３の前面部に設けられ、操作取っ手１２は、蓋ハウジング３の前面側に突出形成した固定の握り取っ手部３Ａの内側において、操作取っ手１２と握り取っ手部３Ａ内の基材３Ａ１との間に配置したコイルバネ１３によって、操作取っ手１２が後方へ付勢された状態で固定の握り取っ手部３Ａに組み合わされている。操作取っ手１２は、後方へ延びた左右辺に連結した板体の作用部１７を備えており、作用部１７は、蓋ハウジング３内の固定部に立設した左右のガイドピン１６が遊嵌される前後方向の長孔１５を左右位置に形成し、蓋ハウジング３内を前後にスライドするよう設けられている。蓋ハウジング３内における作用部１７の支持は、蓋ハウジング３内を前後にスライドするように、握り取っ手部３Ａ内の基材３Ａ１の左右辺３Ａ１１又は蓋ハウジング３内に水平方向に設けた支持基材１４に載置されている。実施例では、作用部１７は、握り取っ手部３Ａ内の基材３Ａ１の左右辺３Ａ１１に載置され、基材３Ａ１の左右辺３Ａ１１に左右のガイドピン１６を立設している。また、作用部１７の左右部には、左右のロックアーム１０を回動作動するよう、左右のロックアーム１０Ａ、１０Ｂの上端部に形成した係止部１０Ａ３、１０Ｂ３の後ろ側に対応する作用腕１７Ａ、１７Ｂを備えている。
【００２５】
各ロックアーム１０Ａ、１０Ｂは、コイルバネ１９によって、爪部１０Ａ１、１０Ｂ１が係止部１１、１１に係止するロック状態の方向へ付勢されている。このため、滅菌器本体２に対して蓋ハウジング３を開いた状態から正規の閉じる状態（蓋５がチャンバー４の上面開口４Ａを閉じる状態）に操作したとき、蓋５の係止部１１、１１は、ロックアーム１０Ａ、１０Ｂの爪部１０Ａ１、１０Ｂ１の上面に内側に低く傾斜した傾斜面１０Ａ４、１０Ｂ４に当接し、蓋ハウジング３が閉じられることに伴って、係止部１１、１１が傾斜面１０Ａ４、１０Ｂ４を押す作用によって、コイルバネ１９の作用力に抗して、ロックアーム１０Ａ、１０Ｂの爪部１０Ａ１、１０Ｂ１が外方へ逃げるように、ロックアーム１０Ａ、１０Ｂが回動する。この作用によって、係止部１１、１１が爪部１０Ａ１、１０Ｂ１を通り過ぎたとき、コイルバネ１９の作用力によって、ロックアーム１０Ａ、１０Ｂが復帰し、爪部１０Ａ１、１０Ｂ１が係止部１１、１１の上に係止する状態となり、蓋５がチャンバー４の上面開口４Ａを密閉する状態となる。蓋ハウジング３を閉じたとき、ロックアーム１０Ａ、１０Ｂの上部に衝突しないように、ロックアーム１０Ａ、１０Ｂの上部が入り込む逃げ凹部３Ｂが、蓋ハウジング３の裏壁面に形成されている。
【００２６】
このように、蓋５をチャンバー４の上面開口４Ａを密閉する状態に閉じたとき、ロックアーム１０Ａ、１０Ｂはコイルバネ１９によって、その爪部１０Ａ１、１０Ｂ１が蓋５の係止部１１、１１に係止したロック状態となる。操作取っ手１２は、通常状態では、コイルバネ１３によって後方へ付勢された状態であるため、この爪部１０Ａ１、１０Ｂ１が蓋５の係止部１１、１１に係止したロック状態において、作用腕１７Ａ、１７Ｂはロックアーム１０Ａ、１０Ｂの上端部に形成した係止部１０Ａ３、１０Ｂ３の後ろ側に近接した状態である。
【００２７】
この状態において、コイルバネ１３のバネ力に抗して、握り取っ手部３Ａと共に操作取っ手１２を手で握ることによって、操作取っ手１２が握り取っ手部３Ａに近づくように前方へ移動する。この移動と共に作用部１７が、左右のガイドピン１６と前後方向の長孔１５に案内されて前方へ移動し、作用部１７の左右部に設けた作用腕１７Ａ、１７Ｂが、それぞれ係止部１０Ａ３、１０Ｂ３を前方へ引く。このため、ロックアーム１０Ａ、１０Ｂはコイルバネ１９のバネ力に抗して前方へ回動し、爪部１０Ａ１、１０Ｂ１が蓋５の係止部１１、１１から外れて非ロック状態となる。この状態で、そのまま握り取っ手部３Ａと共に操作取っ手１２を上方へ押し上げ又は引き上げることによって、蓋ハウジング３がヒンジ部１８を中心として上方へ開かれ、それに伴って、蓋５がチャンバー４の上面開口４Ａを開放し、チャンバー４内の被滅菌物を取り出すことができる。
【００２８】
上記のように、蓋５をチャンバー４の上面開口４Ａを密閉する状態に閉じたとき、ロックアーム１０Ａ、１０Ｂの爪部１０Ａ１、１０Ｂ１が、蓋５の係止部１１、１１に係止したロック状態となる。これによって、作動部１０Ａ２、１０Ｂ２が蓋ロック検出スイッチ６Ａ、６Ｂに近づくため、作動部１０Ａ２、１０Ｂ２が蓋ロック検出スイッチ６Ａ、６Ｂの作動体６Ａ１、６Ｂ１を押し上げ、蓋ロック検出スイッチ６Ａ、６ＢがＯＮ又はＯＦＦに切り替わってロック状態を検出し、その信号によって、蓋ロック検出スイッチ６Ａ、６Ｂが接続された滅菌器本体２側の主制御部ＭＣがロック状態であることを認識する。また、蓋ロック検出スイッチ６Ａ、６Ｂの一つが正規の閉じた状態を検出していないときは、蓋５によるチャンバー４の上面開口４Ａの密閉状態が不良と判断し、主制御部ＭＣが高圧蒸気滅菌器１の運転を開始しないように制御する。
【００２９】
蓋ハウジング３が偏って閉じられる等、正規の閉じられ方をしていない場合には、蓋５がチャンバー４の上面開口４Ａを密閉する状態が不十分な状態となるため、この不十分な状態で高圧蒸気滅菌器１の運転を開始すると、チャンバー４内の高圧蒸気が漏れて危険である。これを防止するために、図１３乃至図１４に示すように、蓋ハウジング３には、滅菌器本体２に対して蓋ハウジング３が正規の閉じた状態（蓋５がチャンバー４の上面開口４Ａを密閉する状態）になったことを検出する閉蓋検出スイッチ７を備えている。この閉蓋状態の検出を正確に行なうために、閉蓋検出スイッチ７は、ヒンジ部１８とは反対側の位置となる前側部分において、蓋ハウジング３内に左右に離間した配列で設けている。実施例では、蓋ハウジング３内に水平方向に設けた支持基材１４上に取り付けた略コ字状の保持部材２０の上面の左右２箇所に、閉蓋検出スイッチ７Ａ、７Ｂを設けている。
【００３０】
蓋ハウジング３を閉じることによって閉蓋検出スイッチ７Ａ、７Ｂを作動するために、作動棒２１Ａ、２１Ｂが設けられている。具体的には、それぞれの閉蓋検出スイッチ７Ａ、７Ｂのそれぞれの作動体７Ａ１、７Ｂ１を作動する作動棒２１Ａ、２１Ｂが、保持部材２０の上下辺２０Ａ、２０Ｂを上下動可能に上下方向に貫通して配置され、各作動棒２１Ａ、２１Ｂは、それぞれコイルバネ２２Ａ、２２Ｂによって、保持部材２０の下方へ延出する方向に付勢されている。各作動棒２１Ａ、２１Ｂは、それぞれのストッパ２３Ａ、２３Ｂが保持部材２０の下辺２０Ｂに当接した位置で、保持部材２０の下方へ延出する長さが制限され、蓋ハウジング３の下方へ延出する長さが制限されている。
【００３１】
蓋ハウジング３が正規の閉じた状態（蓋５がチャンバー４の上面開口４Ａを密閉する状態）では、作動棒２１Ａ、２１Ｂの下端が蓋ハウジング３から下方へ突出して、滅菌器本体２の上壁２Ａに当接してコイルバネ２２Ａ、２２Ｂに押し上げられている。このため、閉蓋検出スイッチ７Ａ、７Ｂのそれぞれの作動体７Ａ１、７Ｂ１が押されて（図１３、図１５には作動状態を示すように複数段階に描いている）、閉蓋検出スイッチ７Ａ、７ＢがＯＮ又はＯＦＦに切り替わって閉蓋状態を検出し、そのデータ（情報又は信号）によって、閉蓋検出スイッチ７Ａ、７Ｂが接続された蓋ハウジング３側の副制御部ＳＣ又は主制御部ＭＣが閉蓋状態であることを認識する。また閉蓋検出スイッチ７Ａ、７Ｂの一つが正規の閉じた状態を検出していないときは、そのデータ（情報又は信号）によって、副制御部ＳＣによる検出に基づき、滅菌器本体２側の主制御部ＭＣが高圧蒸気滅菌器１の運転を開始しないように制御する。
【００３２】
上記のように、コイルバネ１３のバネ力に抗して握り取っ手部３Ａと共に操作取っ手１２を手で握ることによって、蓋５のロック状態が外れるため、高圧蒸気滅菌器１の運転中に、この操作がなされるとチャンバー４内の高圧蒸気が漏れて危険である。このため、高圧蒸気滅菌器１の運転中は、操作取っ手１２によってロック手段ＬＫによるロック状態の解除操作が行われないようにするために、操作取っ手１２の前方への作動移動ができないよう操作取っ手１２の作動を阻止するソレノイド式ロック装置２４を設けている。具体的には、ソレノイド式ロック装置２４は、支持基材１４上に取り付けたソレノイド２５と、ソレノイド２５の通電のＯＮ又はＯＦＦによって長く突出するプランジャ２６を備える。プランジャ２６の水平方向の作動の安定化と、取っ手ロック状態の安定保持ために、常時、支持基材１４から立ち上がる支持辺１４Ａの孔１４Ｂを貫通した状態であり、ソレノイド２５のＯＮ又はＯＦＦによって突出したプランジャ２６が、操作取っ手１２と一体である作用部１７の一部に形成した垂下辺２７の孔２７Ａを貫通する。このため、操作取っ手１２の握り操作を行なっても、操作取っ手１２と作用部１７を前方へ引くことができず、ロックアーム１０Ａ、１０Ｂの爪部１０Ａ１、１０Ｂ１が蓋５の係止部１１、１１に係止しているロック状態を外すことができない構成である。
【００３３】
安全確認用として、操作取っ手１２をソレノイド式ロック装置２４によってロックした取っ手ロック状態を検出するために、操作取っ手ロック検出スイッチ２８を支持基材１４から立ち上がる支持辺１４Ｂに設けている。ソレノイド２５のＯＮ又はＯＦＦによって長く突出したプランジャ２６によって、スイッチ２８の作動体２８Ａを押し圧作動することによって、スイッチ２８がＯＮ又はＯＦＦする。これによって、操作取っ手１２がソレノイド式ロック装置２４によってロックされたことが検出され、スイッチ２８のＯＮ又はＯＦＦを副制御部ＳＣが認識し、滅菌器本体２側の主制御部ＭＣがそのデータ（情報又は信号）を受ける。主制御部ＭＣは、所定の運転モードの終了によって、チャンバー４内の温度と圧力が低下した安全状態において、副制御部ＳＣを動作させてソレノイド２５をＯＮ又はＯＦＦしてプランジャ２６を退避させる。これによって操作取っ手１２のロック状態が解除され、操作取っ手１２を握ることによって、蓋ハウジング３を開く（蓋５がチャンバー４の上面開口４Ａを開く）ことができる状態となる。この操作取っ手ロック検出スイッチ２８は、省略してもよいが、安全確認のために付加された構成として、以下に説明する。
【００３４】
一つの方法として、ソレノイド２５は、非通電（ＯＦＦ）によってプランジャ２６を退避させて、操作取っ手１２を握ることによって、蓋ハウジング３を開く（蓋５がチャンバー４の上面開口４Ａを開く）ことができる非ロック状態とし、通電（ＯＮ）によってプランジャ２６を突出させて、上記のように操作取っ手１２をロック状態に拘束して、蓋ハウジング３を開くことができない状態（蓋５がチャンバー４の上面開口４Ａを閉じた状態）とするように制御することができる。この場合、高圧蒸気滅菌器１の電源スイッチのＯＮ状態において、チャンバー４内の温度と圧力が低下した安全状態であれば、主制御部ＭＣに基づきソレノイド２５を非通電（ＯＦＦ）として非ロック状態とし、高圧蒸気滅菌器１の運転中はソレノイド２５を通電（ＯＮ）としてロック状態とする。そして、上記のように、滅菌動作を行い所定の運転モードの終了によってチャンバー４内の温度と圧力が低下した安全状態において、主制御部ＭＣに基づき、ソレノイド２５を非通電（ＯＦＦ）して、蓋ハウジング３を開く（蓋５がチャンバー４の上面開口４Ａを開く）ことができる非ロック状態となる。また、高圧蒸気滅菌器１の運転中の停電や電源スイッチのＯＦＦ等に基づく電源ＯＦＦの際には、ソレノイドが非通電（ＯＦＦ）となるため、操作取っ手１２がロック状態で拘束されることはない。
【００３５】
図１及び図１１に示すように、蓋ハウジング３の前部には、高圧蒸気滅菌器１の動作条件や動作モードを設定する設定部３１と、動作条件や動作モードを表示する表示部３２と、スピーカＳＰ等を備えた操作部３０が設けられている。表示部３２は、温度表示部３２Ａと、時間表示部３２Ｂと、コース（動作モード）表示部３２Ｃと、プロセス表示部３２Ｄを備えている。設定部３１は、時刻設定部３１Ａ、予約設定部３１Ｂ、コース選択部３１Ｃ、設定確認部３１Ｄ、スタート部３１Ｅ、ストップ部３１Ｆ、温度や時間の設定値のアップダウン部３１Ｇ等を備えている。コース選択部３１ＣのＯＮごとにコース（動作モード）表示部３２Ｃの各コースの左側のＬＥＤ３２Ｃ１の点灯位置が切り替わり、選択したコースを表示すると共に、プロセス表示部３２Ｄの各ＬＥＤ３２Ｄ１の点灯位置が切り替わって、選択したコースのプロセスが表示される。設定部３１と表示部３２は、副制御部ＳＣに接続されてデータ（情報又は信号）の授受を行ない、主制御部ＭＣの制御の下で副制御部ＳＣとのデータ（情報又は信号）の授受によって、設定部３１の操作に基づき表示部３２が動作する。
【００３６】
滅菌器本体２は、底部４隅にキャスタ３３を備え、前面左側部には排気容器３４を前面から着脱自在に収納し、前面右側部には針式表示の圧力計３５を備えている。図４は配管系統図であり、チャンバー４の内底部に蒸気発生手段として、水槽３７と、水槽３７内の水中に配置したシーズヒータ等のヒータ３６を備え、チャンバー４の側面には、圧力安全弁３８、圧力計３５に連結した圧力抜きパイプ３９、途中に電磁弁式の排気バルブ４０を備え先端を排気容器３４内の水中に開放した排気パイプ４１、真空破壊弁４２とディジタル式圧力センサ４３を接続した導出パイプ４４等が接続されている。排気パイプ４１と導出パイプ４４の入口付近とチャンバー４の中間高さ位置には、それぞれ温度センサ４５、４６、４７が接続されている。
【００３７】
チャンバー４の底面には、途中に排水電磁弁４８と手動式排水弁４９を直列に連結し、先端を排気容器３４の下方において滅菌器本体２の前面に開放した排水管５０を連結している。手動式排水弁４９はハンドル５２の回動操作によりバルブ開閉を行うものであり、主制御部ＭＣによって制御されるソレノイド式プランジャ５１によってハンドル５２の回動操作が可能状態と不可能状態に制御される。
【００３８】
図４及び図１２に示すように、主制御部ＭＣは、マイクロコンピュータ等にて構成された制御手段であり、マイクロコンピュータ等にて構成された副制御部ＳＣとのデータ（情報又は信号）の授受や、ディジタル式圧力センサ４３、温度センサ４５、４６、４７からのデータ（情報又は信号）に基づいて、ヒータ３６、排気バルブ４０、排水電磁弁４８、ソレノイド式プランジャ５１等への通電制御を予め設定した所定のシーケンスに従って行うものである。副制御部ＳＣには、設定部３１と操作取っ手ロック検出スイッチ２８のデータ（情報又は信号）が入力し、表示部３２等を制御する。
【００３９】
次に、高圧蒸気滅菌器１の滅菌動作の一つについて説明する。図５には高圧蒸気滅菌器１の動作工程を示しており、これを参照して動作を説明する。上記のように、電源スイッチのＯＮによって、操作取っ手１２は、ソレノイド２５によりプランジャ２６が退避した非ロック状態となり、上記のように操作取っ手１２を握ることにより、ロックアーム１０Ａ、１０Ｂが外側に向けて回動して、蓋ハウジング３を開く（蓋５がチャンバー４の上面開口４Ａを開く）ことができる状態となる。そして、操作取っ手ロック検出スイッチ２８は、プランジャ２６による作動から開放されたＯＮまたはＯＦＦの状態となり、そのデータ（情報又は信号）が副制御部ＳＣへ入力し、操作取っ手１２の非ロック状態が検出される。この状態で、蓋ハウジング３を開いてチャンバー４の上面開口４Ａから所定量の水を水槽３７内に注入した後、チャンバー４内にダーラム管等の被滅菌物を収納して、蓋ハウジング３を閉じる（蓋５がチャンバー４の上面開口４Ａを閉じる）。
【００４０】
蓋ハウジング３を閉じる（蓋５がチャンバー４の上面開口４Ａを閉じる）ことによって、上記のように、ロックアーム１０Ａ、１０Ｂがコイルバネ１９によって復帰し、爪部１０Ａ１、１０Ｂ１が蓋５の係止部１１、１１の上に係止する状態となり、蓋５がチャンバー４の上面開口４Ａを密閉する状態となり、作動部１０Ａ２、１０Ｂ２が作動体６Ａ１、６Ｂ１を押して、蓋ロック検出スイッチ６Ａ、６ＢのＯＮまたはＯＦＦへ切り替わる。これによって、そのデータ（情報又は信号）を受けた主制御部ＭＣが、ロックアーム１０Ａ、１０Ｂによって蓋５がロックされたことを認識する。
【００４１】
このように蓋ハウジング３が正規の閉じた状態（蓋５がチャンバー４の上面開口４Ａを閉じた状態）によって、そのときの蓋ロック検出スイッチ６Ａ、６Ｂの状態のデータ（情報又は信号）が主制御部ＭＣに入力するため、蓋ハウジング３が正規の閉じた状態（蓋５がチャンバー４の上面開口４Ａを閉じた状態）であることが判定され、スタート部３１Ｅを押して高圧蒸気滅菌器１の運転を開始できる状態となる。
【００４２】
このように高圧蒸気滅菌器１の運転を開始できる状態において、蓋ハウジング３の前部に設けた設定部３１を操作し、どのコースで滅菌するかの選択をコース選択部３１Ｃによって行ない、選択したコースに応じてコース（動作モード）表示部３２ＣのＬＥＤが点灯し、温度表示部３２Ａを見て、滅菌設定温度や排気温度等を変更したいときは、アップダウン部３１Ｇによって所定値に設定した後、ＯＫならば設定確認部３１ＤをＯＮする。
【００４３】
高圧蒸気滅菌器１の運転を開始すべく、スタート部３１Ｅを押してＯＮすることによって、ソレノイド２５を通電（ＯＮ）とし、上記のようにプランジャ２６が突出して、操作取っ手１２をロック状態に拘束する。そして、プランジャ２６がスイッチ２８の作動体２８Ａを作動して、スイッチ２８がＯＮ又はＯＦＦする。これによって、操作取っ手１２がソレノイド式ロック装置２４によってロックされたことが検出され、このときのスイッチ２８のＯＮ又はＯＦＦを副制御部ＳＣが認識し、主制御部ＭＣがその信号を受け、図５に示すように時刻Ｔ１から滅菌工程が開始される。滅菌工程の開始によって、前記設定部３１の操作に基づく副制御部ＳＣからのデータ（情報又は信号）に基づき、主制御部ＭＣによって図５に示すように時刻Ｔ１から滅菌工程が開始され、リレーがＯＮ してヒータ３６へ通電する。
【００４４】
上記の場合、選択したコースを予約し、希望時刻に滅菌を開始する場合は、予約設定部３１ＢをＯＮして、時刻設定部３１ＡをＯＮして希望時刻をアップダウン部３１Ｇによって設定し、ＯＫならば設定確認部３１ＤをＯＮする。また、温度表示部３２Ａを見つつ、滅菌設定温度や排気温度等をアップダウン部３１Ｇによって設定した後、ＯＫならば設定確認部３１ＤをＯＮする。そして、高圧蒸気滅菌器１の運転を開始すべく、スタート部３１Ｅを押してＯＮして待機することとなる。
【００４５】
運転開始時、即ち、スタート部３１Ｅが押されてスタート信号が入力されたとき、これらの蓋ロック検出スイッチ６Ａ、６Ｂと、操作取っ手ロック検出スイッチ２８の少なくとも一つが、上記のような正規の状態を検出していないときは、そのデータ（情報又は信号）が副制御部ＳＣに入力し、主制御部ＭＣが高圧蒸気滅菌器１の運転を開始しないように制御すると共に、スピーカＳＰからの発音にて正規の状態でないことを音声合成手段によってスピーカＳＰから警告音声を発すると共に、滅菌工程は開始せず停止状態となる。これらの蓋ロック検出スイッチ６Ａ、６Ｂと、操作取っ手ロック検出スイッチ２８の状態の検出方式の一つとして、副制御部ＳＣからこれらのスイッチへ発せられるチェックデータ（情報又は信号）の応答によって確認される方式がある。
【００４６】
上記の滅菌工程の開始によって、ヒータ３６によって水槽３７内の水が加熱され、チャンバー４内に水蒸気を発生し、主制御部ＭＣによって、温度センサ４０の検出に基づきチャンバー４内の空気や水分を排気バルブ４０から外部に排出する動作を繰り返し行い、チャンバー４内の温度が予め設定した沸点に所定回数到達するすると、排気バルブ４０を閉じて空気抜き工程を終了して加熱工程に移行する。
【００４７】
この加熱工程にてチャンバー４内の温度が滅菌設定温度に到達すると滅菌工程に移行し、主制御部ＭＣによって、ヒータ３６へ通電をＯＮ−ＯＦＦ制御して滅菌動作を行い、時刻Ｔ２で滅菌設定時間が終了するとリレーをＯＦＦしてヒータ３６へ通電ＯＦＦする。これと共に主制御部ＭＣによって、排気バルブ４０を開いて冷却工程に移行し、例えば時刻Ｔ３にて圧力センサ４３にて検出するチャンバー４内の圧力が所定の安全な圧力である大気圧に低下すると、主制御部ＭＣがそのデータ（情報又は信号）を受け、主制御部ＭＣからのデータ（情報又は信号）によって副制御部ＳＣが動作してソレノイド２５を非通電（ＯＦＦ）し、上記のようにプランジャ２６が退避する。プランジャ２６の退避によってスイッチ２８の作動体２８Ａが復帰して、スイッチ２８がＯＮ又はＯＦＦする。このスイッチ２８のＯＮ又はＯＦＦによって、副制御部ＳＣがソレノイド式ロック装置２４による操作取っ手１２の非ロック状態を認識し、主制御部ＭＣがそのデータ（情報又は信号）を受け、蓋ハウジング３を開く（蓋５がチャンバー４の上面開口４Ａを開く）ことができる状態であると判断する。この場合、何らかの原因で、プランジャ２６が退避せずスイッチ２８の作動体２８Ａが押されたままであれば、その状態を副制御部ＳＣが検出し、その信号を主制御部ＭＣが受けて、スピーカＳＰから、操作取っ手１２がロック状態であることの警告を発する。このように、滅菌動作が終了してチャンバー４内の圧力が安全な大気圧に低下すると、ソレノイド式ロック装置２４が動作して操作取っ手１２が非ロック状態となり、安全な状態で蓋ハウジング３を開く（蓋５がチャンバー４の上面開口４Ａを開く）ことができる。
【００４８】
上記の構成において、チャンバー４内が大気圧を超えている場合は、ソレノイド式プランジャ５１によってハンドル５２の回動操作を不可能状態に制御して、排水弁４９の開閉操作を阻止するため、誤ってハンドル５２が回動操作されて排水弁４９が開くことによる高温高圧蒸気の噴出を防止している。また、主制御部ＭＣによって、チャンバー４内が大気圧を超えている場合は、排水電磁弁４８を閉じるように制御するため、チャンバー４内を加圧している時に排水管５０が開放されることがなく、安定且つ安全な動作が得られるものとなる。
【００４９】
上記のように、高圧蒸気滅菌器１の運転開始時に、蓋ロック検出スイッチ６がロックアーム１０のロック状態を検出していない場合には運転を開始しないため、高圧蒸気下で滅菌作動する高圧蒸気滅菌器１の使用者に対する安全確保ができることとなる。
【００５０】
また、ロックアーム１０はバネ１９によってロック状態の方向へ付勢されているため、操作取っ手１２を手で握ることによって、ロックアーム１０のロック状態が解除できることとなり、構成と操作性が簡単である。
【００５１】
また、運転中は操作取っ手１２を握っても前方に移動できないように保持するソレノイド式ロック装置２４の作用によって、運転中に誤って蓋が開かれることにより、使用者が火傷等の損傷を受けることがないような安全性の向上が図られている。
【００５２】
なお、ソレノイド式ロック装置２４の突出するプランジャ２６によって作動される操作取っ手ロック検出スイッチ２８を設ければ、この検出スイッチ２８によって操作取っ手１２がロックされたことの検出が確実となり、運転中の安全確保が向上したものとなる。
【００５３】
また、ロックアーム１０は左右２箇所にロックアーム１０Ａ、１０Ｂを設け、蓋ロック検出スイッチ６Ａ、６Ｂがロックアーム１０Ａ、１０Ｂごとに設けられるため、全てのロックアーム１０Ａ、１０Ｂによるロック状態が達成できた状態でしか運転開始されず、運転開始時の安全確保が更に向上したものとなる。
【００５４】
また、蓋ロック検出スイッチ６Ａ、６Ｂの動作検知を滅菌器本体２に設けた主制御部ＭＣで行い、主制御部ＭＣの統括制御の下で、蓋ハウジング３に設けた操作部３０の制御と、ソレノイド式ロック装置２４の制御と、更には操作取っ手ロック検出スイッチ２８の動作検知を副制御部ＳＣで行う分担制御方式が採用できるため、蓋ハウジング３に動作モード等の設定部３１と動作モード等の表示部３２を備えた操作部３０を配置して、操作性の向上等を図る構成を採用することに適したものとなる。
【００５５】
更に、滅菌器本体２側の主制御部ＭＣと蓋ハウジング３側の副制御部ＳＣは、実施例では６本のライン数で結合されるように、ライン数が限られた本数で達成できるものとなり、配線が簡素化されるものとなる。
【００５６】
主制御部ＭＣには、高圧蒸気滅菌器１の操作や設定等の手順をスピーカＳＰから音声を発する音声ガイド機能が付随している。この音声の中には、蓋ハウジング３を開ける際に使用者に注意を促す警告用音声や、安全装置が作動したときに使用者に点検を促す内容の音声が含まれ、これらの音声がスピーカＳＰから発音される。
【００５７】
一方、主制御部ＭＣは、操作取っ手１２を手で握ることによって、蓋ハウジング３が開かれると、これを閉蓋検出スイッチ７Ａ、７ＢのＯＮ又はＯＦＦへの切り替わりによって検出し、かつこの切り替わり直後に蓋ロック検出スイッチ６Ａ、６ＢがＯＦＦ（又はＯＮ）状態か否か検出することで、これら蓋ロック検出スイッチ６Ａ、６Ｂの接点の固着を検出し、固着が検出されると温度表示部３２Ａ又は時間表示部３２Ｂを利用してエラー表示を行うと同時に、スピーカＳＰにて報知する。
【００５８】
また、主制御部ＭＣは、前記蓋ロック検出スイッチ６Ａ、６Ｂの異常を検出すると運転を開始せず、これにより、運転開始時の安全性を更に向上出来るものである。
【００５９】
尚、蓋ロック検出スイッチ６Ａ、６Ｂは、蓋ハウジング３が十分に開放された状態並びに密閉された状態では、ＯＮ又はＯＦＦし、操作取っ手１２が操作されて蓋ハウジング３がわずかに開かれ、閉蓋検出スイッチ７Ａ、７ＢがＯＮからＯＦＦ又はＯＦＦからＯＮに切り替わるタイミングでは、一時的にＯＮからＯＦＦ又はＯＦＦからＯＮに切り替わる為、これを検出することで、閉蓋検出スイッチ７Ａ、７Ｂの固着を検出するもので、これにより安全性を向上出来るものである。
【産業上の利用可能性】
【００６０】
本発明は上記実施例に示した構成に限定されず、種々の形態の高圧蒸気滅菌器に適用できるものであり、本発明の技術範囲において種々の形態を包含するものである。
【図面の簡単な説明】
【００６１】
【図１】本発明に係る高圧蒸気滅菌器の正面斜視図である。（実施例１）
【図２】本発明に係る高圧蒸気滅菌器の蓋を開けた状態の正面斜視図である。（実施例１）
【図３】本発明に係る高圧蒸気滅菌器の滅菌器本体のカバーを外し蓋を開けた状態の正面斜視図である。（実施例１）
【図４】本発明に係る高圧蒸気滅菌器の配管系統図である。（実施例１）
【図５】本発明に係る高圧蒸気滅菌器の工程動作図である。（実施例１）
【図６】本発明に係る高圧蒸気滅菌器の蓋のロック手段を断面で示す側面図である。（実施例１）
【図７】本発明に係る高圧蒸気滅菌器の蓋のロック手段と操作取っ手のロック装置の部分を示す正面斜視図である。（実施例１）
【図８】本発明に係る高圧蒸気滅菌器の操作取っ手のロック装置の部分を示す正面斜視図である。（実施例１）
【図９】本発明に係る高圧蒸気滅菌器の操作取っ手部分と蓋のロック手段部分を示す平面図である。（実施例１）
【図１０】本発明に係る高圧蒸気滅菌器の操作取っ手部分と蓋のロック手段と操作取っ手のロック装置部分を示す正面斜視図である。（実施例１）
【図１１】本発明に係る高圧蒸気滅菌器の操作部示す平面図である。（実施例１）
【図１２】本発明に係る高圧蒸気滅菌器の制御部を示すブロック図である。（実施例１）
【図１３】本発明に係る高圧蒸気滅菌器の閉蓋検出スイッチ部分と操作取っ手のロック装置の部分を示す正面斜視図である。（実施例２）
【図１４】本発明に係る高圧蒸気滅菌器の操作取っ手部分の蓋のロック手段と閉蓋検出スイッチ部分を示す平面図である。（実施例２）
【図１５】本発明に係る高圧蒸気滅菌器の操作取っ手部分と蓋のロック手段と操作取っ手のロック装置と閉蓋検出スイッチ部分を示す正面斜視図である。（実施例２）
【符号の説明】
【００６２】
１・・・・・高圧蒸気滅菌器
２・・・・・滅菌器本体
２Ａ・・・・滅菌器本体の上壁
３・・・・・蓋ハウジング
３Ａ・・・・握り取っ手部
４・・・・・チャンバー
４Ａ・・・・チャンバーの上面開口
５・・・・・蓋
６・・・・・蓋ロック検出スイッチ
６Ａ、６Ｂ・・・蓋ロック検出スイッチ
６Ａ１、６Ｂ１・・・蓋ロック検出スイッチの作動体
７・・・・・閉蓋検出スイッチ
７Ａ、７Ｂ・・・閉蓋検出スイッチ
７Ａ１、７Ｂ１・・・閉蓋検出スイッチの作動体
８・・・・・軸
９・・・・・支持部
１０・・・・ロックアーム
１０Ａ、１０Ｂ・・・ロックアーム
１０Ａ１、１０Ｂ１・・・ロックアームの爪部
１０Ａ２、１０Ｂ２・・・ロックアームの作動部
１０Ａ３、１０Ｂ３・・・ロックアームの係止部
１１・・・・係止部
１２・・・・操作取っ手
１３・・・・コイルバネ
１４・・・・支持基材
１５・・・・長孔
１６・・・・ガイドピン
１７・・・・作用部
１７Ａ、１７Ｂ・・・・作用腕
１８・・・・ヒンジ部
１９・・・・コイルバネ
２０・・・・保持部材
２０Ａ・・・排水孔
２１Ａ、２１Ｂ・・・・作動棒
２２Ａ、２２Ｂ・・・・コイルバネ
２３Ａ、２３Ｂ・・・・ストッパ
２４・・・・ソレノイド式ロック装置
２５・・・・ソレノイド
２６・・・・プランジャ
２７・・・・垂下辺
２７Ａ・・・垂下辺の孔
２８・・・・操作取っ手ロック検出スイッチ
３０・・・・操作部
３１・・・・設定部
３２・・・・表示部
３３・・・・キャスタ
３４・・・・排気容器
３５・・・・圧力計
３６・・・・ヒータ
３７・・・・水槽
３８・・・・圧力安弁
３９・・・・圧力抜きパイプ
４０・・・・排気バルブ
４１・・・・排気パイプ
４２・・・・真空破壊弁
４３・・・・ディジタル式圧力センサ
４５、４６、４７・・・・温度センサ
４８・・・・排水電磁弁
４９・・・・手動式排水弁
５０・・・・排水管
ＬＫ・・・・ロック手段
ＭＣ・・・・主制御部
ＳＣ・・・・副制御部
ＳＰ・・・・スピーカ 
【図１】
2008104844.tif 000003
【図２】
2008104844.tif 000004
【図３】
2008104844.tif 000005
【図４】
2008104844.tif 000006
【図５】
2008104844.tif 000007
【図６】
2008104844.tif 000008
【図７】
2008104844.tif 000009
【図８】
2008104844.tif 000010
【図９】
2008104844.tif 000011
【図１０】
2008104844.tif 000012
【図１１】
2008104844.tif 000013
【図１２】
2008104844.tif 000014
【図１３】
2008104844.tif 000015
【図１４】
2008104844.tif 000016
【図１５】
2008104844.tif 000017